(57)【要約】  【課題】  筐体を安定した状態で床に載置することが可能な通信装置を提供する。  【解決手段】  通信装置１００の背面側には、電池蓋１１０、アンテナ１２０、該アンテナ１２０の根元部分に形成されたアンテナ突部１２５、突部１３０が形成され、前記アンテナ突部１２５と前記突部１３０とは略同じ高さである。この為、通信装置１００を床に載置した際には、前記突部１３０と前記アンテナ突部１２５と、電池蓋１１０近傍の筐体１００部分とが筐体１００を支える為、安定した状態で筐体１００を載置することが可能である。【選択図】      図１
2005101843.tif 000002
【特許請求の範囲】
【請求項１】
アンテナと、該アンテナが突出する筐体を有する通信装置において、前記筐体は前記アンテナの根元部分に配された第１突部と、第２突部とを有し、
前記第１突部と前記第２突部は略同一の高さであり、前記第１突部と前記第２突部は同一平面上に形成されていることを特徴とする通信装置。
【請求項２】
請求項１記載の通信装置であり、前記第１突部と前記第２突部が略線対称な位置となるように、前記筐体の同一平面上の一端部近傍に配設されていることを特徴とする通信装置。
【請求項３】
請求項１〜２記載の通信装置であり、前記第２突部にはストラップの紐を挿通する為の孔部が形成されていることを特徴とする通信装置。
【請求項４】
請求項１〜３記載の通信装置であり、前記第２突部の頂部には、ストラップの紐が没入する凹部が形成されていることを特徴とする通信装置。
【発明の詳細な説明】
【技術分野】
【０００１】
本発明は、ストラップを取り付け可能な携帯電話等の通信装置に関する。
【背景技術】
【０００２】
従来の携帯電話では、携帯電話の本体に孔を形成し、形成した孔に携帯電話ストラップの紐を通すことにより、ストラップを携帯電話に取り付けていた。
【０００３】
又、ストラップの取り付けに関する技術が開示されており、例えば特許文献１には、どのような形状のストラップも取り付け可能とする為のコネクタが提案されている。
【特許文献１】特開２０００−３５０６１３号公報（第２〜３ページ、図８参照）。
【発明の開示】
【発明が解決しようとする課題】
【０００４】
従来の携帯電話では、例えば図９に示すようにアンテナ９００部分が突出している為に、アンテナ９００が配された面と床とが対向するように携帯電話を床に載置すると、非常に不安定である。
【０００５】
この為、例えば、携帯電話を床に置いたままでキー操作をしようとしても、携帯電話の筐体がぐらつく為に入力が困難であるという問題が生じる。
【０００６】
従来の携帯電話では、筐体にストラップを取り付ける為の孔が形成されているが、可能であるならば、このストラップを取り付ける部分を用いて、無駄な突部分を形成することなく、携帯電話の安定化を図ることが望ましい。
【課題を解決するための手段】
【０００７】
請求項１記載の通信装置は、アンテナと、該アンテナが突出する筐体を有する通信装置において、前記筐体は前記アンテナの根元部分に配された第１突部と、第２突部とを有し、前記第１突部と前記第２突部は略同一の高さであり、前記第１突部と前記第２突部は同一平面上に形成されていることを特徴とする。
請求項２記載の通信装置は、請求項１記載の通信装置であり、前記第１突部と前記第２突部が略線対称な位置となるように、前記筐体の同一平面上の一端部近傍に配設されていることを特徴とする通信装置。
請求項３記載の通信装置は、請求項１〜２記載の通信装置であり、前記第２突部にはストラップの紐を挿通する為の孔部が形成されていることを特徴とする。
請求項４記載の通信装置は、請求項１〜３記載の通信装置であり、前記第２突部の頂部には、ストラップの紐が没入する凹部が形成されていることを特徴とする。
【発明の効果】
【０００８】
本発明の通信装置では、アンテナの突部と同じ高さの突部を設けた為、携帯電話を床に載置した際でも非常に安定である。
【０００９】
又、前記アンテナの突部と前記突部とは、夫々同一平面上の線対称な位置にある為に、携帯電話を安定に載置することが可能である。
【００１０】
更に、前記アンテナの突部と前記突部とは、携帯電話の同一の端部に近接して形成されている為、携帯電話を載置した際に、前記アンテナの突部と前記突部とが形成された付近の端部と異なる端部と、前記アンテナの突部と、前記突部との３点で携帯電話を支えることができ、非常に安定している。
又、前記突部は、携帯電話のストラップの紐を通す為の部位でもある為、無駄な突部分を設けることなく、携帯電話を安定に載置することが可能である。
【００１１】
更に、前記突部には、紐の直径ほどの深さのある切欠部が形成されている為に、前記突部に紐を通した状態で携帯電話を床に載置しても、安定な状態を保つことが可能である。
【発明を実施するための最良の形態】
【００１２】
まず、第１の実施例について説明する。
【００１３】
図１は、第１の実施例装置の背面斜視図である。
【００１４】
図１の通信装置（例えば携帯電話装置）１００は、アンテナ１２０と、電池蓋１１０と、突部１３０を有しており、前記突部１３０には携帯電話のストラップの紐を通す為の孔部１３５が配されている。
【００１５】
又、アンテナ１２０の根元部分には、アンテナ突部１２５が形成されており、前記突部１３０の高さとアンテナ突部１２５の高さとは略同じ高さである。
【００１６】
この為、図１に示す携帯電話１００のアンテナ１２０が配された面と床とが対向するように、携帯電話を床に載置した際には、図２の側面図に示すように、アンテナ突部１２５と突部１３０とが夫々床面に当接すると共に、アンテナ突部１２５の高さと突部１３０の高さとが略同一である為に、ぐらつくことなく、安定した状態で床に載置されることとなる。
【００１７】
又、このように携帯電話が安定した状態で床に載置されている為、図３に示すように、アンテナ１２０が設けられた面と反対側の面に設けられたキーをユーザが操作する際に、ユーザがキーを押下しても携帯電話がぐらつくことがない為、ユーザはスムーズに操作をすることが可能である。
【００１８】
更に、前記アンテナの突部と前記突部とは、図１に示すように携帯電話の同一の端部に近接して形成されている為、携帯電話を載置した際に、前記アンテナの突部と前記突部とが形成された付近の端部と異なる端部（図１に示す電池蓋１１０近傍の端部）の３点で携帯電話を支えている為非常に安定している。
【００１９】
次に、第２の実施例について説明する。
【００２０】
第２実施例は、折り畳み式携帯電話における実施例である。
【００２１】
図４は、第２実施例である携帯電話装置の斜視図である。
【００２２】
図４において、携帯電話２００は、第１の筐体２０１と第２の筐体２０２がヒンジ部３００を介して接続されており、ヒンジ部３００を軸にして開閉可能である。又、前記第１の筐体２０１には例えば液晶表示装置からなるサブ表示部２３０が配置され、前記第２の筐体２０２には、アンテナ２１０と該アンテナ２１０の根元に形成されたアンテナ突部２２０とが形成されている。
【００２３】
図５は、図４に示す携帯電話装置を裏返しにした状態の斜視図である。
【００２４】
図５において、第２の筐体２０２には、アンテナ２１０と該アンテナ２１０の根元に形成されているアンテナ突部２２０が配置されており、又、第２の筐体２０２には、突部２４０が形成されている。
【００２５】
又、前記突部２４０にはストラップの紐を通す為の孔部２４１が形成されており、前記アンテナ突部２２０の高さと前記突部２４０の高さは略同じ高さとなっている。
【００２６】
このような携帯電話のアンテナ２１０と床面が対向するように、携帯電話を床に載置した状態の側面図を図６に示す。
【００２７】
図６に示すように、アンテナ突部２２０の高さと突部２４０の高さが略同じである為に安定した状態で携帯電話を床に載置することができる。
【００２８】
この為、第１の筐体２０１に形成されている表示部２３０を、筐体がゆれることなくユーザは見ることが可能である。
【００２９】
更に、以下で説明する構成としても良い。
【００３０】
第１実施例や第２実施例で説明した突部１３０、２４０に紐を通した場合、図７に示すように紐６００の直径分だけ、突部１３０、２４０に高さが生じてしまう。この為、アンテナ１２０、２１０の高さと突部１２０、２４０部分の高さが同一でなくなり、アンテナ１２０、２１０が床面と対向するように携帯電話を床に載置した場合には、携帯電話は不安定な状態となる。
【００３１】
このような問題を解消する為に、例えば図８に示すように、突部１３０、２４０の頂部に凹部４００を設けると良い。
【００３２】
尚、この凹部４００の深さは、紐の直径より深い方が良い。なぜなら、凹部の深さが紐の直径より深いと、紐を突部１３０、２４０に結んだ際に紐が突出することがなく、従って、筐体を床に置いた際にアンテナ突部１２５、２２０と前記突部１３０、２４０の高さに差が生じることがなくなり、安定した状態で筐体を油化に置くことが可能であるからである。
【図面の簡単な説明】
【００３３】
【図１】本発明を適用してなる第１実施例装置の背面斜視図である。
【図２】第１実施例装置の側面図である。
【図３】第１実施例装置の前面斜視図である。
【図４】第２実施例装置の前面斜視図である。
【図５】第２実施例装置の背面斜視図である。
【図６】第２実施例装置の側面図である。
【図７】突部１３０、２４０部分の拡大図である。
【図８】突部１３０、２４０部分の拡大図である。
【図９】従来の携帯電話の背面斜視図である。
【符号の説明】
【００３４】
１２０  アンテナ
１２５  アンテナ突部
１３０  突部
１３５  孔部
２０１  第１筐体
２０２  第２筐体
２１０  アンテナ
２２０  アンテナ突部
２４０  突部
２４１  孔部
【図１】
2005101843.tif 000003
【図２】
2005101843.tif 000004
【図３】
2005101843.tif 000005
【図４】
2005101843.tif 000006
【図５】
2005101843.tif 000007
【図６】
2005101843.tif 000008
【図７】
2005101843.tif 000009
【図８】
2005101843.tif 000010
【図９】
2005101843.tif 000011